(57)【特許請求の範囲】
【請求項１】
水槽の排水口から下方に縦向きに延び出させた排水管を前面側から隠蔽するパネル製の配管カバーの前面部を後方の壁側に凹陥させることにより収納ボックスを設けて該配管カバーにてキャビネット本体を構成せしめ、該収納ボックスはその底部と床との間に配管接続用スペースを形成するように該底部を該床から上方に離隔して位置させ、前記排水管を該収納ボックスの側方に沿って垂下させて該排水管の下端部と前記床に設けた排水配管の接続口とを、該収納ボックス下側の前記配管接続用スペースに配置した曲管状の接続管にて接続するようになしたことを特徴とするベースキャビネット装置。
【請求項２】
請求項１に記載のベースキャビネット装置において、前記配管カバーにおける前面部の右部と左部とを後方に凹陥させて右部と左部とに前記収納ボックスを設け、該配管カバーの左右中間位置においてその裏側且つそれら収納ボックス間に配管スペースを設けて該配管スペース内に該排水管を位置させたことを特徴とするベースキャビネット装置。
【請求項３】
請求項１，２の何れかに記載のベースキャビネット装置において、前記接続管は、前記排水管の下端部に接続される第一縦管部と、該第一縦管部の下端から前記接続口の側に向って横方向に延びる横管部と、該横管部の先端から下向きに折れ曲り該接続口に接続される第二縦管部とを有していることを特徴とするベースキャビネット装置。
【発明の詳細な説明】
【０００１】
【発明の属する技術分野】
この発明はベースキャビネット装置に関し、詳しくはパネル製のキャビネット本体が水槽からの排水管を隠蔽する配管カバーを兼ねたベースキャビネット装置に関する。
【０００２】
【発明の背景】
従来、前板と一対の側板と底板及び背板とを含んで箱型に組まれ、手洗器等の水槽の下側に設置されるベースキャビネット装置が公知である。
このベースキャビネット装置の場合箱内部に広い収納空間を有しており、その収納空間内に物品を収納可能となっている。
【０００３】
このベースキャビネット装置では、水槽からの排水管をその収納空間内に通すようにしている。即ちこの形態のベースキャビネット装置では、箱内部の収納空間が配管スペースとしても用いられている。
【０００４】
このベースキャビネット装置の場合、床に設けた排水配管の接続口がキャビネット下の何れの位置にあっても、収納空間内部で排水管の向きを変えることで排水管の下端部とその接続口とを支障なく接続することができる。
【発明が解決しようとする課題】
【０００５】
これに対して、狭いトイレ空間等において壁に接して配した手洗器の下側にパネル製の配管カバーを設けて、手洗器の排水口から下向きに延び出した排水管をその前面側から配管カバーにて隠蔽するといったことが行われている。
【０００６】
図９はその一例を示している。
同図において２００はトイレ等の壁２０２に接するように設けた手洗器であって、その下側にパネル製の配管カバー２０４が設けられ、この配管カバー２０４により、手洗器２００の排水口から下向きに延び出した、途中に排水トラップ２０６を有する排水管２０８がその前面側から囲い込まれ隠蔽されている。
ここで排水管２０８の下端部は、床２１０に設けた排水配管の接続口２１２に接続されている。
尚、２１４は吐水管２１６に給水を行うための給水管である。
【０００７】
ところでこのように水槽の下側に単に配管カバー２０４を設けただけであると、上記箱型に組んだ従来のベースキャビネット装置のように物品を収納することができず不便である。
そこでパネル製の配管カバーの前面部を後方の壁側に凹陥させることにより収納ボックスを設けるといったことが本発明者等によって考えられている。
【０００８】
但しこの場合、配管カバーの前面部を後側に凹陥させることによって、即ち後向きに突き出した収納ボックスによって配管カバー裏側の配管スペースが狭小化されてしまう。
特に排水管２０８を硬質管にて構成した場合、床の接続口２１２が収納ボックスの下側に位置していると、その収納ボックスが邪魔となって排水管２０８の下端部と接続口２１２とを良好に接続できなくなってしまう。
【０００９】
【課題を解決するための手段】
本願の発明のベースキャビネット装置はこのような課題を解決するために案出されたものである。
而して請求項１のものは、水槽の排水口から下方に縦向きに延び出させた排水管を前面側から隠蔽するパネル製の配管カバーの前面部を後方の壁側に凹陥させることにより収納ボックスを設けて該配管カバーにてキャビネット本体を構成せしめ、該収納ボックスはその底部と床との間に配管接続用スペースを形成するように該底部を該床から上方に離隔して位置させ、前記排水管を該収納ボックスの側方に沿って垂下させて該排水管の下端部と前記床に設けた排水配管の接続口とを、該収納ボックス下側の前記配管接続用スペースに配置した曲管状の接続管にて接続するようになしたことを特徴とする。
【００１０】
請求項２のものは、請求項１に記載のベースキャビネット装置において、前記配管カバーにおける前面部の右部と左部とを後方に凹陥させて右部と左部とに前記収納ボックスを設け、該配管カバーの左右中間位置においてその裏側且つそれら収納ボックス間に配管スペースを設けて該配管スペース内に該排水管を位置させたことを特徴とする。
【００１１】
請求項３のものは、請求項１，２の何れかに記載のベースキャビネット装置において、前記接続管は、前記排水管の下端部に接続される第一縦管部と、該第一縦管部の下端から前記接続口の側に向って横方向に延びる横管部と、該横管部の先端から下向きに折れ曲り該接続口に接続される第二縦管部とを有していることを特徴とする。
【００１２】
【作用及び発明の効果】
上記のように請求項１のベースキャビネット装置は、パネル製の配管カバーの前面部を後側に凹陥させて、その配管カバーにより収納ボックスを有するキャビネット本体を構成させるようにし、またその収納ボックスはその底部を床から所定距離上方に離隔して位置させて収納ボックスの下側に配管接続用スペースを形成し、その配管接続用スペースに配置した曲管状の接続管にて排水管の下端部と床の排水配管の接続口を接続するようになしたもので、このベースキャビネット装置の場合、排水管を硬質管で構成した場合にも且つ床の接続口が収納ボックス下側に位置していても、支障なく収納ボックス下側の配管接続用スペースを用いて且つ曲管状の接続管を用いて排水管と床に設けた排水配管の接続口とを接続することができる。
【００１３】
即ちこのベースキャビネット装置によれば、配管カバー裏側の、収納ボックス形成により狭小化された限られた狭いスペース内で排水管を配管でき且つ床の接続口に対して良好に接続することができる。
【００１４】
請求項２のベースキャビネット装置は、配管カバー前面部の右部と左部とを後側に凹陥させて、右部と左部とに収納ボックスを設けるとともに、配管カバーの裏側且つそれら収納ボックスの間に排水管用の配管スペースを設けてそこに排水管を位置させたもので、この請求項２のベースキャビネット装置においては、配管カバーの前面部と壁との間の限られた狭い空間を有効に活用して広い収納空間と排水管用のスペースとを確保することができる。
【００１５】
上記曲管状の接続管は、排水管の下端部に接続される第一縦管部とこれより横方向に延びる横管部及び上記接続口に接続される第二縦管部とを有するものとなすことができる（請求項３）。
接続管をこのように構成することで、排水管の下端部の位置と床の排水配管の接続口との位置が左右にずれていても、また接続口の上側に収納ボックスが位置していても、支障なくその接続管にて排水管と接続口とを接続することができる。
【００１６】
ここで上記接続管は、２つの曲管を嵌合状態に互いに組み付けて構成することができる。またそれらの嵌合深さ（飲込代）を調整することで或いはまた一方又は両方を切断することで、接続管の左右長さを調整することができる。
これにより排水管の下端部と接続口との間の左右方向距離のばらつきを良好に吸収することができる。
【００１７】
本発明では、エルボ形状をなす一対の曲管を嵌合状態に組み付けて配管接続用の接続管を構成し、且つそれら一対の曲管を同一形状となすことができ、このようにして接続管を構成した場合、一対の曲管の嵌合深さ（飲込代）を調整し或いはまた一対の曲管の一方又は両方を適宜の位置で切断することで、左右方向長を調整することができるとともに、一対の曲管は互いに同一形状としてあることから、接続管を製造するに際して一種類の曲管を製造するだけで複数の曲管から成る接続管を構成でき、従ってこれを樹脂の成形品で構成する場合において、一種類の成形金型を用意するだけで良く、接続管を安価に製造することができる。
【００１８】
この場合において上記一対の曲管は、それぞれ同一形状の管本体と、その管本体に形成した雄ねじ部及び袋ナットを有するものとなすことができる。
【００１９】
【実施例】
次に本発明の実施例を図面に基づいて詳しく説明する。
図１において、１０は例えばトイレの壁Ｗに接するように設けられたカウンターで、１２は手洗器、１４は吐水口ハウジングで、この吐水口ハウジング１４には手洗水栓の吐水口１６が手洗器１２に向かって突出する状態で設けられている。一方洗面器１２にはその手洗水栓のハンドル１８が設けられている。
【００２０】
手洗器１２の下側には本例のベースキャビネット装置２０が配設されている。
尚、２２はカウンター１０の下側においてカウンター１０に取り付けられたトイレットペーパーホルダである。
【００２１】
図２に示しているように、手洗器１２の下側には手洗水栓の水栓本体２６が設けられており、この水栓本体２６と上記吐水口１６とが導管２８にて連絡されている。
この水栓本体２６には、また、床３０の給水元管３２からの水を水栓本体２６に導く給水管３４が接続されている。
【００２２】
図２及び図３に示しているように、手洗器１２の排水口２４からは硬質の排水管３６が下向きに延び出している。
この排水管３６は、トラップ部３８とこれに続いて真直ぐ下向きに垂下する垂下部４０とを有しており、その下端が後述の接続管４２にて床３０に設けた排水配管４４の接続口４６に接続されている。
【００２３】
図４において、４８は上記給水管３４及び排水管３６を前面側から隠蔽する配管カバーであって、本例ではこの配管カバー４８によりベースキャビネット装置２０のキャビネット本体が構成されている。
【００２４】
この配管カバー４８は樹脂製のパネルからなるものであって前面部５０と一対の側面部５２とを有しており、その後面と上面及び下面が開放形状とされている。この配管カバー４８は、その上部が手洗器カバー５４として、また下部が蹴込部５６としてそれぞれ構成されている。
【００２５】
配管カバー４８には舌片状の固定片５８が設けられており、この固定片５８と後述の収納ボックス６４，６６の後壁部とにおいて、図３の親ビス６０と子ビス６２との２重ビスにより壁Ｗに取付固定されている。
【００２６】
親ビス６０には軸方向に雌ねじ孔が形成されており、この親ビス６０を壁Ｗにねじ込み固定した状態で、配管カバー４８の固定片５８及び収納ボックス６４，６６の後壁部を親ビス６０に重ね合せ、その状態で子ビス６２を固定片５８および収納ボックス６４，６６の後壁部を貫通して親ビス６０の雌ねじ孔にねじ込むことで、配管カバー４８を壁Ｗに取付固定してある。
尚、図３において６８は蹴込部カバーであって、蹴込部５６を覆った状態で固定具７０により蹴込部５６に固定されている。
【００２７】
図４に示しているように、キャビネット本体を構成する配管カバー４８はその右部と左部とが壁Ｗ側に部分的に後方に凹陥させられており、これによって配管カバー４８の右部と左部とに収納ボックス６４，６６が設けられている。
ここで収納ボックス６４，６６は、その底部６９が床３０から上方に離隔して位置させられており、それら底部６９と床３０との間に、上記接続管４２用の配管接続用スペースが形成されている。
【００２８】
尚、図１に示しているように配管カバー４８の前面には一対の扉７１，７２が設けられており、それら扉７１，７２によって収納ボックス６４，６６の内部が開閉されるようになっている。
【００２９】
上記配管カバー４８の裏側且つ一対の収納ボックス６４，６６の間は、上記排水管３６のための配管スペースとされており、そこに排水管３６及び前記給水管３４、詳しくはそれらの垂下部４０，３５が位置させられている。
【００３０】
図５，図６は上記曲管状の接続管４２の構成を具体的に示している。
この接続管４２は、第一縦管部７４とその下端から横方向に延びる横管部７６と更に続いて下向きに延びる第二縦管部７８とを有しており、その第一縦管部７４において排水管３６に接続され、また第二縦管部７８において上記床３０に設けた接続口４６に水密に接続されている。
【００３１】
本例において、この接続管４２は互いに同一種，同一形状の一対のエルボ状の曲管８０にて構成されている。
一対の同種の曲管８０は、管本体８２とその端部外周面に形成された雄ねじ部８４と袋ナット８６とを有しており、そして一方の曲管８０の内部に排水管３６の下端部が嵌入された状態で雄ねじ部８４への袋ナット８６のねじ込みにより、一方の曲管８０と排水管３６とが接続されている。
尚排水管３６と一方の曲管８０との間は、袋ナット８６の締込みにより圧迫変形させられるゴム製パッキン８８にて水密にシールされている。
このパッキン８８はまた、排水管３６の外面を自身の変形を伴って圧迫し、その抜止めをなしている。
【００３２】
排水管３６に接続された一方の曲管８０の他端部は、今一方の曲管８０の雄ねじ部８４側の端部内側に嵌入された上、同様にして袋ナット８６及びパッキン８８により、今一方の曲管８０に対し水密に接続されている。そしてその今一方の曲管８０の他端部が、上記接続口４６に対して水密に接続されている。
尚、これら一対の曲管８０の管本体８２は、図７に示しているようにその折曲角度θが９０＋αとされている。ここでαは水抜きのための水抜き勾配である。
【００３３】
尚、図５では第二縦管部７８を接続口４６内部に深く入り込ませているが、必要に応じて切断位置Ｐで切断した状態でこれを接続口４６内部に入り込ませておくことができる。
【００３４】
図８は接続管４８の左右方向長の調節方法を示したもので、ここでは一方の曲管８０をＰ２の切断位置で切断することで、左右方向長を短く調節するようにしている。但し一方の曲管８０を他方の曲管８０に対し深く嵌入できるようにしておいて、その嵌入深さ、即ち飲込代を調整することで接続管４２の左右長を調節するようになすこともできる。
【００３５】
本例のベースキャビネット装置２０の場合、排水管３６を硬質管で構成した場合にも且つ床３０の接続口４６が収納ボックス６４（又は６６）の下側に位置していても、支障なく収納ボックス６４下側の配管接続用スペースを用いて且つ曲管状の接続管４２を用いて排水管３６と接続口４６とを接続することができる。
【００３６】
即ち本例のベースキャビネット装置２０によれば、配管カバー４８裏側の、収納ボックス６４，６６形成により狭小化された限られた狭いスペース内で排水管３６と床３０の接続口４６とを良好に接続することができる。
【００３７】
また配管カバー４８の前面部５０と壁Ｗとの間の限られた狭い空間を有効に活用して収納ボックス６４，６６による広い収納空間と排水管３６用のスペースを確保することができる。
【００３８】
更に接続管４２は２つの曲管８０を嵌合状態に互いに組み付けて構成しているため、一対の曲管８０の嵌合深さ（飲込代）を調整し或いはまた一対の曲管８０の一方又は両方を適宜の位置で切断することで左右方向長さを容易に調整することができ、これにより排水管３６の下端部と接続口４６との間の左右方向距離のばらつきを良好に吸収することができる。
【００３９】
加えて接続管４２を構成する一対の曲管８０は互いに同一形状としてあることから、接続管４２を製造するに際して一種類の曲管８０を製造するだけで良く、従ってこれを樹脂の成形品で構成する場合において一種類の成形金型を用意するだけで良く、製造コストを安価とすることができる。
【００４０】
以上本発明の実施例を詳述したがこれはあくまで一例示である。
例えば本発明は流し台のベースキャビネット装置に適用することも可能であるし、上例の手洗器以外の形態の手洗器或いは水槽下部の配管を隠蔽する配管カバーを兼ねたキャビネット装置に適用することも可能である等、本発明はその主旨を逸脱しない範囲において種々変更を加えた形態で構成可能である。
【図面の簡単な説明】
【図１】本発明の一実施例であるベースキャビネット装置を手洗器及びカウンターとともに示す図である。
【図２】図１のベースキャビネット装置を手洗器カウンターとともに示す正面図及び側面図である。
【図３】同実施例のキャビネット装置を分解して示す図である。
【図４】図３の配管カバーの単品図である。
【図５】図２及び図３の接続管の構成を示す図である。
【図６】図５の接続管を各部材に分解して示す図である。
【図７】図５及び図６の曲管の要部を単品で示す図である。
【図８】図５及び図６の接続管の左右長の調節方法の説明図である。
【図９】本発明の背景説明のための説明図である。
【符号の説明】
１２  手洗器
２０  ベースキャビネット装置
２４  排水口
３０  床
３６  排水管
４２  接続管
４４  排水配管
４６  接続口
４８  配管カバー
５０  前面部
６４，６６  収納ボックス
６９  底部
７４  第一縦管部
７６  横管部
７８  第二縦管部
８０  曲管
８２  管本体
８４  雄ねじ部
８６  袋ナット
【図１】
0003560281.tif 000002
【図２】
0003560281.tif 000003
【図３】
0003560281.tif 000004
【図４】
0003560281.tif 000005
【図５】
0003560281.tif 000006
【図６】
0003560281.tif 000007
【図７】
0003560281.tif 000008
【図８】
0003560281.tif 000009
【図９】
0003560281.tif 000010